(57)【要約】【課題】投入記憶媒体と非接触記憶媒体の両方を用いた組合せ判定を可能とし、かつ、他人の媒体を読み込んで誤った判定を行うことを防止できる自動改札装置を提供する。【解決手段】自動改札装置に、投入読取手段と、非接触読取手段と、前記投入読取手段と前記非接触読取手段のいずれかで読取った改札情報に基づいて改札通路の通過可否を判定する単独判定手段と、前記通過可否の判定モードを切り換えるスイッチと、前記スイッチにより判定モードが切り換えられると、前記非接触読取手段による読取りを停止して前記投入読取手段で投入記憶媒体から改札情報を読取り、該読取りの後に前記非接触読取手段による読取りを開始して前記非接触読取手段で非接触記憶媒体から改札情報を読取り、前記投入読取手段および前記非接触読取手段で読取ったそれぞれの改札情報を組合わせて改札通路の通過可否を判定する組合せ判定手段とを備えた。【選択図】図３
2008197944.tif 000002
【特許請求の範囲】
【請求項１】
投入口に投入された投入記憶媒体から改札情報を読取る投入読取手段と、
非接触記憶媒体から非接触で改札情報を読取る非接触読取手段と、
前記投入読取手段で読取った改札情報または前記非接触読取手段で読取った改札情報のいずれかに基づいて改札通路の通過可否を判定する単独判定手段と、
前記通過可否の判定モードを切り換えるスイッチと、
前記スイッチにより判定モードが切り換えられると、前記非接触読取手段による読取りを停止して前記投入読取手段で投入記憶媒体から改札情報を読取り、該読取りの後に前記非接触読取手段による読取りを開始して前記非接触読取手段で非接触記憶媒体から改札情報を読取り、前記投入読取手段および前記非接触読取手段で読取ったそれぞれの改札情報を組合わせて改札通路の通過可否を判定する組合せ判定手段とを備えた
自動改札装置。
【請求項２】
前記組合せ判定手段を、前記非接触読取手段による読取りを開始する際に、前記投入読取手段による読取りを停止する構成とした
請求項１記載の自動改札装置。
【発明の詳細な説明】
【技術分野】
【０００１】
この発明は、例えば鉄道の駅構内や空港の構内などのゲートに設置されて通過者の通過可否を判定するような自動改札装置に関する。
【背景技術】
【０００２】
従来、磁気券と非接触券の両方から出改札データを読取り、２つの出改札データを組み合わせて１つの改札処理を行なう自動改札機が提案されている（特許文献１参照）。この自動改札機により、磁気券と非接触券とを併用し、組み合わせて改札できるとされている。
【０００３】
しかし、前記自動改札機は、２人の利用者が連続して通過しようとした場合に、本来通過拒否しなければならない１人目の利用者を通過許可し、通過許可すべき２人目の利用者を通過拒否してしまう場合があるという問題点があった。
【０００４】
詳述すると、例えば、当駅を降車するには残額不足となる磁気ＳＦカードを所持する１人目の利用者が、改札機に磁気ＳＦカードを投入したとする。このとき、前記自動改札機は、非接触券との交信の有無を待つこととなる。ここで、続いて通過しようとする２人目の利用者が、たまたま前記残額不足分に相当する区間の非接触定期券を所持しており、この非接触定期券で降車しようとして自動改札機に非接触定期券をかざしたとする。この場合、１人目が投入した残額不足の磁気ＳＦカードと、２人目がかざした非接触定期券とで、１人目が降車ＯＫとなって１人目の通過を許可してしまう。そして、２人目の利用者は、対応する乗車券のない無札の利用者として扱われ、自動改札機の通過が拒否されてしまう。
【０００５】
【特許文献１】特開平０８−８３３６８号公報
【発明の開示】
【発明が解決しようとする課題】
【０００６】
この発明は、上述の問題点に鑑み、投入記憶媒体と非接触記憶媒体の両方を用いた組合せ判定を可能とし、かつ、他人の媒体を読み込んで誤った判定を行うことを防止できる自動改札装置を提供することを目的とする。
【課題を解決するための手段】
【０００７】
この発明は、投入口に投入された投入記憶媒体から改札情報を読取る投入読取手段と、非接触記憶媒体から非接触で改札情報を読取る非接触読取手段と、前記投入読取手段で読取った改札情報または前記非接触読取手段で読取った改札情報のいずれかに基づいて改札通路の通過可否を判定する単独判定手段と、前記通過可否の判定モードを切り換えるスイッチと、前記スイッチにより判定モードが切り換えられると、前記非接触読取手段による読取りを停止して前記投入読取手段で投入記憶媒体から改札情報を読取り、該読取りの後に前記非接触読取手段による読取りを開始して前記非接触読取手段で非接触記憶媒体から改札情報を読取り、前記投入読取手段および前記非接触読取手段で読取ったそれぞれの改札情報を組合わせて改札通路の通過可否を判定する組合せ判定手段とを備えた自動改札装置であることを特徴とする。
【０００８】
前記投入記憶媒体は、情報が磁気で記憶されている磁気式記憶媒体、あるいは、情報を記憶しているＩＣチップおよびリーダライタと通信するための接点を有する接触式ＩＣ媒体など、投入口に投入させて情報読取りを行う記憶媒体で構成することができる。
【０００９】
前記非接触記憶媒体は、情報を記憶しているＩＣチップおよび非接触通信するためのアンテナを備えた非接触ＩＣ媒体、あるいは、ＩＣチップとアンテナが内蔵された携帯電話機やＰＤＡといった携帯端末など、非接触で通信できる記憶媒体で構成することができる。
【００１０】
この発明により、投入記憶媒体と非接触記憶媒体のいずれか一方の記憶媒体のみによる通過可否の判定と、両方の記憶媒体を組み合わせた通過可否の判定とを、スイッチの切り替えという容易な操作で確実に実行することができる。また、記憶媒体を投入した利用者の後ろに続く次の利用者の記憶媒体を読み込んで、二人分の記憶媒体を組み合わせて誤った判定を行うといったことを防止できる。
【００１１】
この発明の態様として、前記組合せ判定手段を、前記非接触読取手段による読取りを開始する際に、前記投入読取手段による読取りを停止する構成とすることができる。  
これにより、先に投入記憶媒体を受け付け、次に非接触記憶媒体を受け付けるという順序を徹底することができる。
【発明の効果】
【００１２】
この発明により、投入記憶媒体と非接触記憶媒体の両方を用いた組合せ判定を可能とし、かつ、他人の媒体を読み込んで誤った判定を行うことを防止できる自動改札装置を提供することができる。
【発明を実施するための最良の形態】
【００１３】
この発明の一実施形態を以下図面と共に説明する。  
図１は、電鉄の駅構内への出入口に設置される自動改札機１の外観構成を示す斜視図である。
【００１４】
自動改札機１は、改札通路３を挟んで２つの改札機本体１０（１０ａ，１０ｂ）が左右に対向させて設置されている。ここで、右側の改札機本体１０ｂは、正面が手前に向けられており、左側の改札機本体１０ａは、背面が手前に向けられている。この配置により、自動改札機１は、前後両方向の通過について通過許可と通過拒否の規制を行う。
【００１５】
改札機本体１０は、改札通路３側の内側筐体１２と、該内側筐体１２の外側に接続された外側筐体１１（所謂バーと呼ばれる部分）とで構成されており、全体が大人の普通人の腹部程度の高さに形成されている。
【００１６】
内側筐体１２の上面の入口側（図示右下側）には、通過可能区間情報や乗車駅情報などが含まれている改札情報を非接触券３１から読み取る非接触読取部１７と、磁気券３２の投入を受け付ける投入口１９と、押下スイッチ１８とが設けられている。
【００１７】
ここで、非接触券３１は、非接触で通信可能な媒体であり、例えばＩＣとアンテナとを有して誘導電磁界により通信を行う非接触ＩＣカードで構成されている。また、磁気券３２は、例えば磁気式で改札情報を記憶する磁気カードで構成されている。
【００１８】
投入口１９は、非接触読取部１７より入り口側に設けられている。この投入口１９に磁気券３２が投入されると、内部に備えられた搬送機構が、磁気券３２を内部に搬送し、改札処理の後に磁気券３２を排出口１６へ搬送して排出する。また、投入口１９には、図示省略する開閉シャッタが設けられている。この開閉シャッタは、ソレノイドなどの駆動手段によって開閉駆動され、磁気券３２を投入許容する際にシャッタ開となり、磁気券３２を投入禁止する際にシャッタ閉となる。
【００１９】
押下スイッチ１８は、非接触券３１と磁気券３２を組み合わせて通過可否の判定を受けたい利用者に押下させるボタン型のスイッチである。この押下スイッチ１８は、外側筐体１１と隣接する位置に設けられている。この押下スイッチ１８との隣接部分の外側筐体１１の高さは、押下スイッチ１８の高さより高くなるように構成されている。
【００２０】
内側筐体１２の上面の出口側（図示左上側）には、通過可否等の表示を行なう表示部の表示面１５と、磁気券３２を排出する排出口１６が設けられている。  
内側筐体１２の改札通路３側の側面には、入口側と出口側にそれぞれ扉１３が設けられている。この扉１３は、適宜の駆動手段によって開閉動作し、通過許可の場合は開動作、通過拒否の場合は閉動作を行うように構成されている。
【００２１】
図２は、自動改札機１の構成を示すブロック図である。  
自動改札機１には、アンテナ２１、磁気ＩＣ併用スイッチ２２、案内表示器２３、ＲＯＭ２４、ＣＰＵ２５、ＲＡＭ２６、磁気券処理機構２７、扉開閉機構２８、および警報器２９が設けられている。
【００２２】
アンテナ２１は、ＣＰＵ２５の制御信号に従って、誘導電磁界によって非接触券３１の記憶部に記憶されている改札情報を非接触で読み取り、改札通過情報を前記記憶部に非接触で書き込む。
【００２３】
磁気ＩＣ併用スイッチ２２は、押下スイッチ１８（図１参照）が利用者に押下された際に押下信号をＣＰＵ２５に送信する。
【００２４】
案内表示器２３は、液晶表示装置で構成されており、ＣＰＵ２５の制御信号に従って文字や図形を表示面１５（図１参照）に表示する。この表示として、通過可否の表示、および組合せ判定の利用方法などを表示する。
【００２５】
ＣＰＵ２５は、ＲＯＭ２４に格納されているプログラムに従って、ＲＡＭ２６を一時記憶領域として利用し、接続されている各種装置を駆動制御する。このＣＰＵ２５は、磁気ＩＣ併用スイッチ２２の押下を受けて、通過可否の判定処理を、磁気券３２と非接触券３１のいずれか一方で判定する単独判定処理と、磁気券３２と非接触券３１の両方を組み合わせて判定する組合せ判定処理とに切り替える切替処理も実行する。
【００２６】
磁気券処理機構２７は、ＣＰＵ２５の制御信号に従って、投入口１９（図１参照）に投入された磁気券３２から改札情報を読取り、改札通過情報を書き込む処理を実行する。
【００２７】
扉開閉機構２８は、ＣＰＵ２５の制御信号に従って、モータ等の駆動手段を駆動して扉１３（図１参照）を開閉駆動する。  
警報器２９は、ＣＰＵ２５の制御信号に従って、スピーカによる音声報知あるいはアラーム音発音、ランプの点灯あるいは点滅などを行う。
【００２８】
図３は、自動改札機１のＣＰＵ２５が実行する動作を示すフローチャートである。  
ＣＰＵ２５は、まず非接触券３１の受け付けと、磁気券３２の受け付けをいずれも許可する状態にする（ステップＳ１）。これにより、単独利用であれば、利用者が非接触券３１と磁気券３２のいずれを用いても通過可否の判定ができる状態となる。
【００２９】
利用者によって押下スイッチ１８が押下されると（ステップＳ２：Ｙｅｓ）、ＣＰＵ２５は、非接触券３１の受け付けを一時的に停止する（ステップＳ３）。  
ＣＰＵ２５は、磁気券３２が投入口１９に投入されない間（ステップＳ４：Ｎｏ）、待ち時間（たとえば５秒）が経過するまで待機し（ステップＳ５：Ｎｏ）、待ち時間が経過すると（ステップＳ５：Ｙｅｓ）、オートリセットをかけてステップＳ２に処理を戻す（ステップＳ６）。
【００３０】
磁気券３２が投入口１９に投入されてこの磁気券３２を受け付けると（ステップＳ４：Ｙｅｓ）、ＣＰＵ２５は、非接触券３１の受け付けを開始（再開）し、今度は逆に磁気券３２の受け付けを停止する（ステップＳ７）。このとき、磁気券３２の受け付け停止は、投入口１９に設けられた開閉シャッタをシャッタ閉の状態にすることで実行する。
【００３１】
非接触券３１を受け付けるまで（ステップＳ８：Ｎｏ）、利用者の通過がなければ（ステップＳ９：Ｎｏ）、ＣＰＵ２５は待機する。  
非接触券３１を受け付けると（ステップＳ８：Ｙｅｓ）、ＣＰＵ２５は、ステップＳ４で受け付けた磁気券３２と、ステップＳ８で受け付けた非接触券３１の両方を組み合わせて通過可否を判定する組合せ判定を実行する（ステップＳ１０）。この組合せ判定は、例えば、磁気券３２から読取った乗車可能区間情報と非接触券３１から読取った乗車可能区間情報が連続して連続区間になっているか、前記連続区間内に当駅が含まれているか、磁気券３２または非接触券３１に乗車駅情報が正しく記憶されているかといった基準により通過可否を判定する。
【００３２】
組合せ判定の結果がＯＫであれば（ステップＳ１１：Ｙｅｓ）、ＣＰＵ２５は、非接触券３１に降車駅情報などの降車時書込み情報を書き込む（ステップＳ１２）。
【００３３】
非接触券３１への書込みが正常に完了してＯＫであれば（ステップＳ１３：Ｙｅｓ）、ＣＰＵ２５は、磁気券３２に降車駅情報などの降車時書込み情報を書き込む（ステップＳ１４）。
【００３４】
磁気券３２への書込みが正常に完了してＯＫであれば（ステップＳ１５：Ｙｅｓ）、ＣＰＵ２５は、扉開閉機構２８を駆動して扉１３を開にし（ステップＳ１６）、処理を終了する。
【００３５】
前記ステップＳ８，Ｓ９で非接触券３１を受け付けていないにもかかわらず利用者の通過を適宜の通行検知センサで検知するか（ステップＳ８：Ｎｏ，ステップＳ９：Ｙｅｓ）、前記ステップＳ１１で判定ＮＧとなるか（ステップＳ１１：Ｎｏ）、前記ステップＳ１３で判定ＮＧとなるか（ステップＳ１３：Ｎｏ）、前記ステップＳ１５で判定ＮＧとなると（ステップＳ１５：Ｎｏ）、ＣＰＵ２５は、扉開閉機構２８を駆動して扉１３を閉にする（ステップＳ１７）。
【００３６】
ＣＰＵ２５は、利用者が入り口へ戻るまで待機し（ステップＳ１８：Ｎｏ）、利用者が戻ったことを検知すると（ステップＳ１８：Ｙｅｓ）、リセットして処理を終了する（ステップＳ１９）。
【００３７】
前記ステップＳ２で押下スイッチ１８が押下されず（ステップＳ２：Ｎｏ）、磁気券３２が投入口１９に投入されて受け付けると（ステップＳ２０：Ｙｅｓ）、ＣＰＵ２５は、非接触券３１の受付を一時的に停止する（ステップＳ２１）。
【００３８】
ＣＰＵ２５は、投入された磁気券３２を用いて通過可否を判定する磁気券単独判定を実行する（ステップＳ２２）。この磁気券単独判定では、例えば、磁気券３２から読取った乗車可能区間情報に当駅が含まれているか否か、磁気券３２に乗車駅情報が正しく記憶されているかといった基準により通過可否を判定する。
【００３９】
磁気券単独判定の結果がＯＫであれば（ステップＳ２３：Ｙｅｓ）、ＣＰＵ２５は、磁気券３２に降車駅情報などの降車時書込み情報を書き込む（ステップＳ２４）。
【００４０】
書込みが正常に完了してＯＫであれば（ステップＳ２５：Ｙｅｓ）、ＣＰＵ２５は、扉開閉機構２８を駆動して扉１３を開にし（ステップＳ２６）、処理を終了する。
【００４１】
前記ステップＳ２３で判定ＮＧであったか（ステップＳ２３：Ｎｏ）、前記ステップＳ２５で判定ＮＧであれば（ステップＳ２５：Ｎｏ）、ＣＰＵ２５は、扉開閉機構２８を駆動して扉１３を閉にし（ステップＳ２７）、処理を終了する。
【００４２】
前記ステップＳ２０で磁気券３２が投入口１９に投入されておらず（ステップＳ２０：Ｎｏ）、非接触券３１も受け付けていなければ（ステップＳ２８：Ｎｏ）、ＣＰＵ２５は、ステップＳ２に処理を戻して待機する。  
非接触券３１を受け付けると（ステップＳ２８：Ｙｅｓ）、ＣＰＵ２５は、磁気券３２の受付を一時的に停止する（ステップＳ２９）。
【００４３】
ＣＰＵ２５は、受け付けた非接触券３１を用いて通過可否を判定する非接触券単独判定を実行する（ステップＳ３０）。この非接触券単独判定では、例えば、非接触券３１から読取った乗車可能区間情報に当駅が含まれているか否か、非接触券３１に乗車駅情報が正しく記憶されているかといった基準により通過可否を判定する。
【００４４】
非接触券単独判定の結果がＯＫであれば（ステップＳ３１：Ｙｅｓ）、ＣＰＵ２５は、非接触券３１に降車駅情報などの降車時書込み情報を書き込む（ステップＳ３２）。
【００４５】
書込みが正常に完了してＯＫであれば（ステップＳ３３：Ｙｅｓ）、ＣＰＵ２５は、扉開閉機構２８を駆動して扉１３を開にし（ステップＳ３４）、処理を終了する。
【００４６】
前記ステップＳ３１で判定ＮＧであったか（ステップＳ３１：Ｎｏ）、前記ステップＳ３３で判定ＮＧであれば（ステップＳ３３：Ｎｏ）、ＣＰＵ２５は、扉開閉機構２８を駆動して扉１３を閉にし（ステップＳ２７）、処理を終了する。
【００４７】
以上の構成および動作により、利用者により非接触券３１のみが利用された場合には、非接触券３１のみを用いて非接触券単独判定を行い、通過可否を判定することができる。また、利用者により磁気券３２のみが利用された場合には、磁気券３２のみを用いて磁気券単独判定を行い、通過可否を判定することができる。そして、押下スイッチ１８が押下され、非接触券３１と磁気券３２の両方が利用された場合には、両方を組み合わせて組合せ判定を行い、通過可否を判定することができる。
【００４８】
このように、利用者による押下スイッチ１８の押下をトリガにして、磁気券３２と非接触券３１との組合わせ判定を行なうことができるので、乗車券と利用者との対応を容易にとることができる。
【００４９】
また、組合せ判定では、磁気券３２を先に受け付け、その後に非接触券３１を受け付けるため、組合わせ判定に適した媒体受付け順序とすることができ、非接触券３１への書込み処理を確実に実行することができる。つまり、仮に、先に非接触券３１を受け付けてその後に磁気券３２を受け付けると、判定ＯＫとなって書込み処理をする際に、利用者が非接触券３１を非接触読取部１７から離してしまっており、アンテナ２１の通信エリア内から非接触券３１が出てしまっていて書き込めないという事態が生じ得る。しかし、非接触券３１を磁気券３２の後に受け付けることで、このような事態が生じることをなるべく防止できる。
【００５０】
また、組合せ判定では、押下スイッチ１８が押下された際にまず非接触券３１の受け付けを停止するため、磁気券３２の先受け付けを確実に行うことができる。そして、磁気券３２を受け付けると、今度は磁気券３２の受け付けを停止するため、先に磁気券３２を処理して次に非接触券３１を処理するという処理順序を確実に守ることができる。
【００５１】
この発明の構成と、上述の実施形態との対応において、
この発明の自動改札装置は、実施形態の自動改札機１に対応し、
以下同様に、
スイッチは、押下スイッチ１８に対応し、
非接触読取手段は、アンテナ２１に対応し、
組合せ判定手段は、ステップＳ１０を実行するＣＰＵ２５に対応し、
単独判定手段は、ステップＳ２２，３０を実行するＣＰＵ２５に対応し、
投入読取手段は、磁気券処理機構２７に対応し、
非接触記憶媒体は、非接触券３１に対応し、
投入記憶媒体は、磁気券３２に対応するも、
この発明は、上述の実施形態の構成のみに限定されるものではなく、多くの実施の形態を得ることができる。
【図面の簡単な説明】
【００５２】
【図１】自動改札機の外観構成を示す斜視図。
【図２】自動改札機の構成を示すブロック図。
【図３】自動改札機の動作を示すフローチャート。
【符号の説明】
【００５３】
１…自動改札機、１８…押下スイッチ、１９…投入口、２１…アンテナ、２５…ＣＰＵ、２７…磁気券処理機構、３１…非接触券、３２…磁気券
【図１】
2008197944.tif 000003
【図２】
2008197944.tif 000004
【図３】
2008197944.tif 000005